(57)【要約】【課題】アウターロータモータの軸倒れを軽減し、アウターロータモータからの駆動伝達が良好になされる駆動伝達装置及び画像形成装置を提供する。【解決手段】モータ５２のアウターロータ５８に歯列６６を有するアウターロータギア６４を嵌合し、歯列６６に被動ギア６８を噛合わせるともに、トルクリミッタ７２が取り付けられた負荷付与ギア７０を歯列６６に噛み合わせる。負荷付与ギア７０は、アウターロータ５８に、被動ギア６８からアウターロータ５８に受ける負荷に対抗する負荷を加えて、アウターロータ５８の軸倒れを軽減させる。【選択図】  図２
2007046672.tif 000002
【特許請求の範囲】
【請求項１】
外周面に歯列が設けられたアウターロータを備えたモータと、前記歯列に噛合う被動ギアと、この被動ギアから前記アウターロータに受ける負荷に対抗する負荷を前記アウターロータに加える負荷付与手段とを有することを特徴とする駆動伝達装置。
【請求項２】
前記負荷付与手段が前記アウターロータに加える負荷の大きさが、前記被動ギアから前記アウターロータが受ける負荷の大きさ以下であることを特徴とする請求項１記載の駆動伝達装置。
【請求項３】
前記負荷付与手段は前記被動ギアの中心と前記アウターロータの中心と結ぶ線上に位置することを特徴とする請求項１又は２記載の駆動伝達装置。
【請求項４】
前記負荷付与手段は、前記歯列に噛合う負荷付与ギアと、この負荷付与ギアに装着されたトルクリミッタとを有することを特徴とする請求項１乃至３いずれか記載の駆動伝達装置。
【請求項５】
外周面に歯列が設けられたアウターロータを備えたモータと、前記歯列に噛合う被動ギアと、この被動ギアに連結された回転体と、前記被動ギアから前記アウターロータに受ける負荷に対抗する負荷を前記アウターロータに加える負荷付与手段とを有することを特徴とする画像形成装置。
【請求項６】
前記回転体は像担持体からなることを特徴とする請求項５記載の画像形成装置。
【発明の詳細な説明】
【技術分野】
【０００１】
本発明は、駆動伝達装置及び画像形成装置に関する。
【背景技術】
【０００２】
複写機、プリンタ、ファクシミリ等の画像形成装置においては、例えば、感光体、中間転写体、帯電ロール、転写ロール、搬送ロール等の回転体があり、これらを回転させるための駆動伝達装置が用いられている。このような画像形成装置の駆動伝達装置として、モータのアウターロータに設けられた歯列に被動ギアを噛合わせ、この被動ギアに回転体を連結して、モータにより回転体を回転駆動させる技術が知られている（特許文献１）。
【０００３】
【特許文献１】特開平１１−１６４５１６号公報
【発明の開示】
【発明が解決しようとする課題】
【０００４】
しかしながら、従来の技術では、モータのアウターロータが被動ギアからの負荷を受けて軸倒れした状態となり、良好に駆動伝達が伝達されないことがあるとの問題点があった。
【０００５】
本発明は上記問題点を解決し、モータのアウターロータの軸倒れを解消又は軽減することで、駆動伝達が良好になされる駆動伝達装置及び画像形成装置を提供することを目的とする。
【課題を解決するための手段】
【０００６】
上記課題を解決するために、本発明の第１の特徴とするところは、外周面に歯列が設けられたアウターロータを備えたモータと、前記歯列に噛合う被動ギアと、この被動ギアから前記アウターロータに受ける負荷に対抗する負荷を前記アウターロータに加える負荷付与手段とを有する駆動伝達装置にある。したがって、アウターロータが被動ギアから負荷を受けても、この負荷に対向し負荷付与手段から加えられる負荷に支えられ、アウターロータの軸倒れが生じにくくなる。
【０００７】
好適には、前記負荷付与手段が前記アウターロータに加える負荷の大きさが、前記被動ギアから前記アウターロータが受ける負荷の大きさ以下である。したがって、負荷付与手段からアウターロータに加えられる負荷が過大になることが防止される。
【０００８】
また、好適には、前記負荷付与手段は前記被動ギアの中心と前記アウターロータの中心と結ぶ線上に位置する。したがって、被動ギアからの負荷が加えられる位置からアウターロータの中心をはさんだ逆側の位置に負荷付与手段が位置し、この位置からアウターロータに負荷が加えられる。
【０００９】
また、好適には、前記負荷付与手段は、前記歯列に噛合う負荷付与ギアと、この負荷付与ギアに装着されたトルクリミッタとを有する。したがって、トルクリミッタが装着されたギアがアウターロータに負荷を加え、アウターロータの軸倒れを生じにくくするとともに、アウターロータに加えられる負荷が過大になることが防止される。
【００１０】
また、上記目的を達成するために、本発明の第２の特徴とするところは、外周面に歯列が設けられたアウターロータを備えたモータと、前記歯列に噛合う被動ギアと、この被動ギアに連結された回転体と、前記被動ギアから前記アウターロータに受ける負荷に対抗する負荷を前記アウターロータに加える負荷付与手段とを有する画像形成装置にある。したがって、アウターロータが被動ギアから負荷を受けても、この負荷に対向し負荷付与手段から加えられる負荷に支えられ、アウターロータの軸倒れが生じにくくなる。そして、これにより被動ギアを介してのモータから回転体へ駆動伝達が良好に伝達されるようになる。
【００１１】
また、好適には前記回転体は像担持体からなる。したがって、モータからの駆動が像担持体に良好に伝達される。
【発明の効果】
【００１２】
本発明によれば、駆動伝達が良好になされる駆動伝達装置及び画像形成装置を提供することができる。
【発明を実施するための最良の形態】
【００１３】
次に本発明の実施形態を図面に基づいて説明する。
図１において、本発明の実施形態に係る画像形成装置１０の概要が示されている。画像形成装置１０は、筺体１２を有し、この筺体１２の上部に排出部１６が設けられていると共に、この筺体１２内に画像形成手段１４と、例えば２段のシート供給装置１８、１８とが搭載されている。
【００１４】
画像形成手段１４は電子写真方式のもので、潜像と現像剤像とを担持する像担持体であり回転体として用いられるドラム形状の感光体２８と、この感光体２８を一様帯電する帯電装置３０と、この帯電装置３０により帯電された感光体２８に、光により潜像を書き込む光書込み装置３２と、この光書込み装置３２により形成された感光体２８の潜像を現像剤により可視化する現像ロール３５を備えた現像装置３４と、この現像装置３４による現像剤像をシートに転写する例えば転写ロールからなる転写装置３６と、感光体２８に残存する現像剤をクリーニングするクリーニングブレード３７を備えたクリーニング装置３８と、転写装置３６により転写されたシート上の現像剤像をシートに定着させる定着装置４０とから構成されている。光書込み装置３２は例えば走査型のレーザ露光装置からなり、後述するプロセスカートリッジ４６を横切り、感光体２８に潜像を形成する。なお、光書込み装置３２は、他の実施形態としてＬＥＤや面発光レーザ等を用いることができる。
【００１５】
画像形成手段１４を構成する部材のうち、感光体２８、帯電装置３０、現像装置３４及びクリーニング装置３８は、プロセスカートリッジ４６として一体化され交換できるようになっている。
【００１６】
各シート供給装置１８は、例えば給紙カセットからなるシート収納部１９と、シート収納部に収納された最上位のシートをピックアップするピックアップロール２０と、ピックアップロール２０によりピックアップされたシートを搬送するフィードロール２１とを有し、シート収納部１９に積層された状態で収納されているシートを前述の画像形成手段１４へと供給する。
【００１７】
フィードロール２１のシート搬送方向下流にはレジストロール２２が設けられ、このレジストロール２２の下流側には、前述の転写装置３６とプロセスカートリッジ４６の感光体２８とが設けられ、さらに下流側には前述の定着装置４０が設けられている。
【００１８】
前述した感光体２８、帯電装置３０、現像ロール３５、転写装置３６、定着装置４０、ピックアップロール２０、フィードロール２１等を駆動するためのモータが用いられており、このモータからの駆動力が駆動伝達装置を用いて伝達されるようになっている。
【００１９】
図２において、本発明の実施形態に係る駆動伝達装置として、感光体２８を駆動する駆動伝達装置５０が示されている。駆動伝達装置５０は、外周面に歯列が設けられたアウターロータを備えたモータとして用いられるモータ５２と、モータ５２のアウターロータの外周面に設けられた歯列に噛合う被動ギアとして用いられる被動ギア６８と、
この被動ギアからアウターロータに受ける負荷に対抗する負荷をアウターロータに加える負荷付与手段として用いられる負荷付与ギア７０及びトルクリミッタ７２とを有する。そして、被動ギア６８には、感光体２８に装着された感光体ギア７６が連結されている。
【００２０】
モータ５２は、図３に示すように、前述の筺体１２の一部をなすフレーム１２ａに装着されるステータ５４と、このステータ５４に軸受により回転自在に支持されるシャフト５６と、シャフト５６に固定されシャフト５６と共に回転するアウターロータ５８と、アウターロータ５８の内側に装着された永久磁石６０と、永久磁石６０の近傍に位置するようにステータ５４に取り付けられた磁気コイル６２とからなり、磁気コイル６２に通電がなされることで、アウターロータ５８が回転する。アウターロータ５８の外周面にはアウターロータギア６４が嵌合されていて、このアウターロータギア６４の外周面に歯列６６が形成されている。この実施形態では、アウターロータ５８の外周面に嵌合したアウターロータギア６４に歯列６６を形成することでアウターロータの外周面に歯列を設けているが、これに替えてアウターロータ５８の外周面に直接、歯列６６を形成しても良い。また、この実施形態では、歯列６６は、はすば歯からなるが、これに替えて、例えば平歯等の他の種類の歯で歯列６６を形成しても良い。
【００２１】
被動ギア６８は、歯列６６に噛合うギアであり、フレーム１２ａに回動自在に装着されていて、アウターロータギア６４を介してアウターロータ５８から駆動伝達を受けて回転するとともに、感光体ギア７６に駆動を伝達して感光体ギア７６を回転させる。この被動ギア６８がアウターロータギア６４から駆動負荷を受ける際に、この駆動負荷の反力をアウターロータギア６４は受ける。このため、アウターロータギア６４とアウターロータ５８とは、被動ギア６８から受ける反力により軸倒れする恐れがある。
【００２２】
負荷付与ギア７０は、フレーム１２ａに装着されたトルクリミッタ７２に接続されており、アウターロータギア６４の歯列６６に噛合った状態にあり、アウターロータギア６４からの駆動負荷を受けて回転する。この負荷付与ギア７０がアウターロータギア６４から駆動負荷を受ける際、アウターロータギア６４とアウターロータ５８とは、負荷付与ギア７０から駆動負荷の反力を受ける。このように、負荷付与ギア７０は、被動ギア６８からアウターロータ５８に受ける負荷に対抗する負荷を、アウターロータギア６４とアウターロータ５８と加える。したがって、アウターロータ５８とアウターロータギア６４とは、被動ギア６８からの負荷を受けても、負荷付与ギア７０に支えられるため軸倒れが生じにくい。
【００２３】
この負荷付与ギア７０がアウターロータ５８に加える負荷の大きさは、被動ギア６８からアウターロータ５８に受ける負荷の大きさ以下となるように設定されることが望ましく、この実施形態では、この負荷付与ギア７０がアウターロータ５８に加える負荷の大きさと、被動ギア６８がアウターロータ５８に加える負荷の大きさとが等しく設定されている。このため、負荷付与ギア７０からアウターロータ５８とアウターロータギア６４とに加えられる負荷が過大となることがない。また、負荷付与ギア７０からの負荷が強すぎて、アウターロータ５８が軸倒れすることも防止される。負荷付与ギア７０がアウターロータ５８に付与する負荷の大きさは、トルクリミッタ７２のトルク調整によりなされる。
【００２４】
負荷付与ギア７０は、被動ギア６８の中心６８ａとアウターロータ５８の中心５８ａを結ぶ線Ｌ上に位置している。このため、被動ギア６８からの負荷が加えられる位置からアウターロータ５８の中心５８ａをはさんだ逆側の位置に負荷付与ギア７０が位置し、この位置からアウターロータに負荷が加えられることになり、アウターロータ５８の軸倒れが生じにくくなる。
【００２５】
次に以上で説明した実施形態の作用について説明する。
画像形成がなされるにあたり、感光体２８が帯電装置３０により一様に帯電され、この帯電された感光体２８に、画像信号に基づいて光書込み装置３２から発した光が照射されて潜像が形成され、この潜像が現像装置３４の現像剤により可視化される。一方、サイズ信号等によりシート供給装置１８の一つが選択され、シート収納部１９の一つに収納されたシートは、ピックアップロール２０によりピックアップされ、フィードロール２１により送り出され、レジストロール２２により一時停止され、このレジストロール２２がタイミングを取って回転を開始することで、転写装置３６と感光体２８との間に導かれる。このようにしてシートが転写装置３６と感光体２８との間に導かれると、感光体２８上の現像剤像が転写装置３６によりシートに転写される。この現像剤像が転写されたシートは、定着装置４０を通って排出部１６へ排出される。
【００２６】
ここで、画像形成がなされるにあたり、感光体２８が駆動伝達装置５０により駆動される。すなわち、モータ５２のアウターロータ５８に装着されたアウターロータギア６４から回転駆動が被動ギア６８に伝達され、被動ギア６８の回転駆動が感光体２８に装着された感光体ギア７６に伝達されることで、感光体２８は回転する。アウターロータ５８は被動ギア６８からの負荷を受けて軸倒れする恐れがあるものの、トルクリミッタ７２の接続された負荷付与ギア７０から、被動ギア６８からアウターロータ５８が受ける負荷に対抗する負荷を受けることで、軸倒れが解消されるか、又は軽減される。
【産業上の利用可能性】
【００２７】
以上述べたように、本発明はモータのアウターロータの軸倒れを解消又は軽減し、駆動伝達が良好になされる駆動伝達装置及び画像形成装置に利用することができる。
【図面の簡単な説明】
【００２８】
【図１】本発明の実施形態に係る画像形成装置の概要を示す正面図である。
【図２】図２（ａ）は本発明の実施形態に係る駆動伝達装置を示す断面図であり、図２（ｂ）は本発明の実施形態に係る駆動伝達装置を示す正面図である。
【図３】本発明の実施形態に用いられるモータを示す断面図である。
【符号の説明】
【００２９】
１０    画像形成装置
１４    画像形成手段
２８    感光体
５０    駆動伝達装置
５２    モータ
５４      ステータ
５６      シャフト
５８      アウターロータ
６０      永久磁石
６２      磁気コイル
６４      アウターロータギア
６６      歯列
６８    被動ギア
７０    負荷付与ギア
７２    トルクリミッタ
７６    感光体ギア
【図１】
2007046672.tif 000003
【図２】
2007046672.tif 000004
【図３】
2007046672.tif 000005